Podtech/llm-jp-corpus-v4-ja_patent huggingface dataset:
【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
スキャナーと寝台とにより成る計測系と、この計測系からの計測データから撮影画像を得る画像処理装置と、を備えるＸ線ＣＴ装置において、
過去の撮影画像の位置情報を用いて計測系の位置決めを行う位置決め手段と、この位置決め後の位置での計測データを用いて得られた別の撮影画像と上記過去の撮影画像との差分画像を得る相違部抽出手段を備えたことを特徴するＸ線ＣＴ装置。
【請求項２】
上記位置決め手段は、上記過去の撮影位置を位置決めの画像上の被検体の特定部位を基準として算出し、記憶する手段と、これを読み出して位置決めを行う手段とを具えるものとした請求項１のＸ線ＣＴ装置。
【請求項３】
上記過去の撮影画像と上記別の撮影画像とをモニター上一致させる位置合わせ処理手段を更に備えたことを特徴とする請求項１のＸ線ＣＴ装置。
【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
Ｘ線源と、二次元的に配列された複数のＸ線検出素子から成り、前記Ｘ線源に対象物を挟んで向かい合い、前記Ｘ線源から前記対象物に照射され前記対象物を透過したＸ線を計測する、Ｘ線検出器と、を含み、前記Ｘ線源及び前記Ｘ線検出器を前記対象物に対して相対的に周回軸を中心に周回させるとともに前記対象物を前記Ｘ線源及び前記Ｘ線検出器に対して相対的に前記周回軸に沿って移動させて、螺旋スキャンを行なう、スキャナと、
前記螺旋スキャンによって前記Ｘ線検出器で収集した投影データから前記対象物の断層像を作成する、画像処理装置と、
を含むＸ線ＣＴ装置であって
前記画像処理装置は、前記対象物の前記周回軸上の同一位置において前記周回を分割して成る複数位相範囲の投影データ群を組み合わせたデータを再構成して断層像を作成する、
ことを特徴とするＸ線ＣＴ装置。
【請求項２】
前記画像処理装置は、前記二次元的に配列されたＸ線検出器の複数の素子列から前記異なる複数の投影データを選択する選択装置を有し、この選択装置により選択された素子列の検出データ及びこのデータの対向データを用いて画像を再構成することを特徴とする請求項１のＸ線ＣＴ装置。
【請求項３】
Ｘ線源と、二次元的に配列された複数のＸ線検出素子から成り、前記Ｘ線源に対象物を挟んで向かい合い、前記Ｘ線源から前記対象物に照射され前記対象物を透過したＸ線を計測する、Ｘ線検出器と、を含み、前記Ｘ線源及び前記Ｘ線検出器を前記対象物に対して相対的に周回軸を中心に周回させるとともに前記対象物を前記Ｘ線源及び前記Ｘ線検出器に対して相対的に前記周回軸に沿って移動させて、螺旋スキャンを行なう、スキャナと、
前記螺旋スキャンによって前記Ｘ線検出器で収集した投影データから前記対象物の断層像を作成する、画像処理装置と、
を含むＸ線ＣＴ装置であって、
前記画像処理装置は、前記対象物の前記周回軸上の同一位置において、前記周回を分割して成る複数の位相範囲の投影データ群から各々の位相範囲の画像を再構成し、前記再構成された複数の画像を加算して断層像を作成する、
ことを特徴とするＸ線ＣＴ装置。
【請求項４】
前記画像処理装置は、前記異なる複数の投影データと各々これに対応する前記周回の位相範囲の関数である重み関数を用いて、重み付けおよび組み合わせして得たデータから、画像を再構成することを特徴とする請求項１又は３のＸ線ＣＴ装置。
【手続補正書】
【提出日】平成16年8月26日(2004.8.26)
【手続補正１】
【補正対象書類名】明細書
【補正対象項目名】００１１
【補正方法】変更
【補正の内容】
【００１１】
したがって、ライトガイド１６の入射端面（基端面）は、極小になっている。この極小の入射端面に上記照射光を確実に入射させるために、図２に示すように、集光レンズ２３とライトガイド１６との間の照明光路上には、集光レンズ２３より集光度の低い一対のボールレンズ３０，３１（光学素子）が配されている。集光レンズ２３側の大きいボールレンズ３０（光強度分布変換素子）は、ライトガイドコネクタ２４に設けられ、ライトガイド１６側の小さいボールレンズ３１（光捕捉素子）はライトガイドプラグ１５に設けられている。
【手続補正２】
【補正対象書類名】明細書
【補正対象項目名】００１５
【補正方法】変更
【補正の内容】
【００１５】
ライトガイドプラグ１５は、プラグ本体１７と、このプラグ本体１７の端部に螺合されたプラグキャップ１８とを備えている。プラグ本体１７には、ガイド収容孔１７ａが形成され、このガイド収容孔１７ａにライトガイド１６の入射端部が収容されている。プラグキャップ１８には、ガイド収容孔１７ａと同軸をなして連なるレンズ収容孔１８ａ（捕捉素子収容孔）が形成されている。このレンズ収容孔１８ａに、上記光捕捉用ボールレンズ３１が収容されている。このボールレンズ３１に、ライトガイド１６の入射端面が正確に位置決めされている。
【手続補正３】
【補正対象書類名】図面
【補正対象項目名】図１
【補正方法】変更
【補正の内容】
【図１】
2003126033.tif 000001
【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
被検体頭部の周囲に配置され頭部固定用のボルトを介して頭部を固定すると共に導電体で形成されたＵ字形状の固定部と、手術用治具が取り付けられると共に導電体で形成されたフレーム部と、前記固定部と前記フレーム部の端部同士を電気的に接続するコネクタ部とを有し、
上記コネクタは、上記フレーム部を所望の角度に変更可能な可動機構を備えたことを特徴とする手術用受信コイル。
【請求項２】
被検体を寝載する寝台と、静磁場空間を形成し前記被検体に対し高周波磁場、傾斜磁場を印加して核磁気共鳴信号を得るガントリとを有する磁気共鳴イメージング装置において、前記寝台に取り付けられ被検体からの核磁気共鳴信号を受信する手術用受信コイルを備え、この手術用受信コイルは被検体頭部の周方向に配置され頭部を固定し導電体で形成された頭部固定部と、手術用治具が取り付けられると共に導電体で形成されたフレーム部と、前記頭部固定部と前記フレーム部とを電気的に接続するコネクタ部とを有してループ状のコイルを構成し、
上記コネクタは、上記フレーム部を所望の角度に変更可能な可動機構を備えたことを特徴とする磁気共鳴イメージング装置。
【請求項３】
上記手術用受信コイルに取り付けられもしくは内部に装填されたマーカと、上記フレーム部に取り付けられた処置治具とマーカとの距離を計測するスケールとを有し、上記磁気共鳴イメージング装置にて撮影された診断画像上のマーカと所望の部位との距離を前記スケールに対応させて、上記処置治具を上記フレーム部上で上記所望の部位に対して処置できる位置に配置できることを特徴とする請求項３記載の磁気共鳴イメージング装置。
【手続補正２】
【補正対象書類名】明細書
【補正対象項目名】０００９
【補正方法】変更
【補正の内容】
【０００９】
また、本発明の磁気共鳴イメージング装置は、被検体を寝載する寝台と、静磁場空間を形成し前記被検体に対し高周波磁場、傾斜磁場を印加して核磁気共鳴信号を得るガントリとを有する磁気共鳴イメージング装置において、前記寝台に取り付けられ被検体からの核磁気共鳴信号を受信する手術用受信コイルを備え、この手術用受信コイルは被検体頭部の周方向に配置され頭部を固定し導電体で形成された頭部固定部と、手術用治具が取り付けられると共に導電体で形成されたフレーム部と、前記頭部固定部と前記フレーム部とを電気的に接続するコネクタ部とを有してループ状のコイルを構成し、上記コネクタは、上記フレーム部を所望の角度に変更可能な可動機構を備えたものである。さらに、上記手術用受信コイルに取り付けられもしくは内部に装填されたマーカと、上記フレーム部に取り付けられた手術用治具とマーカとの距離を計測するスケールとを有し、上記磁気共鳴イメージング装置にて撮影された診断画像上のマーカと所望の部位との距離を前記スケールに対応させて、上記処置治具を上記フレーム部上で上記所望の部位に対して処置できる位置に配置できるようにしてもよい。
【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
医用診断画像を遠隔処理するためのシステムであって、複数の医用画像を比較し、該複数の医用画像のうちの少なくとも二つの画像間の時間的差違をハイライト表示するように構成させた遠隔処理システムと、前記遠隔処理システムとネットワークを介して対話するための統一インタフェースと、前記複数の医用画像のうちの少なくとも一つの画像を圧縮するように構成させた、統一インタフェースによりアクセス可能な画像圧縮モジュールと、を備えるシステム。
【請求項２】
前記遠隔処理システムが、異なる医用イメージング様式から取得したイメージング・データを調整するように構成させたモダリティ・マッチング・モジュールを備えている、請求項１に記載のシステム。
【請求項３】
前記遠隔処理システムが、前記少なくとも二つの画像内の所望の生理学的特徴を幾何学的にマッチングさせるように構成させた画像マッチング・モジュールを備えている、請求項１に記載のシステム。
【請求項４】
前記画像マッチング・モジュールが、前記少なくとも二つの画像のうちの一つを変更するように構成させた画像変形モジュールを備えている、請求項６１に記載のシステム。
【請求項５】
前記遠隔処理システムが、前記少なくとも二つの画像の第１の画像から第２の画像を差し引くように構成させた画像サブトラクション・モジュールを備えている、請求項６１に記載のシステム。
【請求項６】
前記遠隔処理システムが、ネットワークと結合した画像記憶システムから遠隔の医用画像を取り出すように構成させた画像検索モジュールを備えている、請求項１に記載のシステム。
【請求項７】
前記遠隔処理システムが、遠隔処理システムにおける画像処理の前に非圧縮画像を圧縮するように構成させた画像圧縮モジュールを備えている、請求項１に記載のシステム。
【請求項８】
前記統一インタフェースがプラットフォームに依存しないインタフェース・アセンブリを備えている、請求項１に記載のシステム。
【請求項９】
前記プラットフォームに依存しないインタフェース・アセンブリがシン・クライアントを含む、請求項６６に記載のシステム。
【請求項１０】
前記統一インタフェースが医療機関内の少なくとも一つの医用診断イメージング・システムに対する画像記憶システムと結合されている、請求項１に記載のシステム。
【請求項１１】
複数の医療機関に配置された複数の統一インタフェースを備える請求項１に記載のシステム。
【請求項１２】
前記統一インタフェースが、前記複数の医用画像の新たな画像、並びに複数の医用画像の少なくとも一つの古い画像との時間的比較の要求を前記遠隔処理システムに送信するように構成させた処理要求モジュールを有している、請求項１に記載のシステム。
【請求項１３】
前記画像圧縮モジュールが、前記少なくとも一つの画像のメモリ消費量をそのネットワークのネットワーク転送効率に基づいた所望のサイズまで低下させるように構成させた圧縮ルーチンを備えている、請求項１に記載のシステム。
【請求項１４】
前記所望のサイズが概ね１．５ＭＢ未満である、請求項１３に記載のシステム。
【請求項１５】
前記圧縮ルーチンが二次サンプリング・ルーチンを備えている、請求項１３に記載のシステム。
【請求項１６】
前記圧縮ルーチンがダイナミックレンジ縮小ルーチンを備えている、請求項１３に記載のシステム。
【請求項１７】
前記圧縮ルーチンが無損失圧縮ルーチンを備えている、請求項１３に記載のシステム。
【請求項１８】
医用基準を自動的に評価し、前記複数の医用画像から古い画像の組中の所望の１枚の古い画像を選択するように構成させた画像選択モジュールを備える請求項１に記載のシステム。
【請求項１９】
医用基準を自動的に評価し、新たな画像に対して前記複数の医用画像の１枚の古い画像による時間解析を起動させるか否かを決定するように構成させた画像処理決定モジュールを備える請求項１に記載のシステム。
【請求項２０】
画像データをネットワークを介して安全に送信するように構成させた送信セキュリティ・モジュールを備える請求項１に記載のシステム。
【請求項２１】
医用診断画像に対してプラットフォームに依存しない処理をするためのシステムであって、プラットフォームに依存しない遠隔のインタフェースからの時間画像解析要求を実行するように構成させたアプリケーション・サーバーであって、ある時間期間全体にわたって取得した少なくとも二つの画像において所望の生理学的特徴を幾何学的にマッチングさせるように構成した画像マッチング・モジュールと、前記少なくとも二つの画像の第１の画像を第２の画像から差し引くように構成させた画像サブトラクション・モジュールと、を備えているアプリケーション・サーバーを備えるシステム。
【請求項２２】
前記アプリケーション・サーバーが、時間画像解析を実行する前に前記少なくとも二つの画像の非圧縮画像を圧縮するように構成させた画像圧縮モジュールを備えている、請求項２１に記載のシステム。
【請求項２３】
前記遠隔処理システムが、ネットワークと結合した画像記憶システムから遠隔の医用画像を取り出すように構成させた画像検索モジュールを備えている、請求項２１に記載のシステム。
【請求項２４】
前記遠隔処理システムが、医用基準を自動的に評価して、前記少なくとも二つの画像から古い画像の組中の所望の１枚の古い画像を選択するように構成させた画像選択モジュールを備えている、請求項２１に記載のシステム。
【請求項２５】
前記遠隔処理システムが、医用基準を自動的に評価して、新たな画像に対して前記少なくとも二つの画像の１枚の古い画像による時間画像解析を実行するか否かを決定するように構成させた画像処理決定モジュールを備えている、請求項２１に記載のシステム。
【請求項２６】
前記画像マッチング・モジュールが前記少なくとも二つの画像のうちの一つを変更するように構成させた画像変形モジュールを備えている、請求項２１に記載のシステム。
【請求項２７】
前記画像マッチング・モジュールが異なるイメージング様式からのイメージング・データを調整するように構成されている、請求項２１に記載のシステム。
【請求項２８】
データ暗号化モジュールを備える請求項２１に記載のシステム。
【請求項２９】
請求項１に記載のシステムにより作成したサブトラクション医用診断画像。
【請求項３０】
請求項２１に記載のシステムにより作成したサブトラクション医用診断画像。
【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
被検眼を照明するための照明光学系と、該照明光学系により照明した被検眼を撮影する撮像手段と、該撮像手段の出力信号をＡ／Ｄ変換して画像データを得るＡ／Ｄ変換手段と、前記画像データに基づいて前記撮像手段の撮像倍率を算出する算出手段とを備えることを特徴とする眼科撮影装置。
【請求項２】
前記撮像倍率は前記画像データの所定範囲の幅に基づいて算出することを特徴とする請求項１に記載の眼科撮影装置。
【請求項３】
前記撮像倍率の値に応じて前記照明光学系の撮影光量を変化させることを特徴とする請求項１に記載の眼科撮影装置。
【請求項４】
前記撮像倍率の値に応じて、撮影倍率又は撮影画角を表示することを特徴とする請求項１に記載の眼科撮影装置。
【手続補正２】
【補正対象書類名】明細書
【補正対象項目名】０００９
【補正方法】変更
【補正の内容】
【０００９】
【課題を解決するための手段】
上記目的を達成するための本発明に係る眼科撮影装置は、被検眼を照明するための照明光学系と、該照明光学系により照明した被検眼を撮影する撮像手段と、該撮像手段の出力信号をＡ／Ｄ変換して画像データを得るＡ／Ｄ変換手段と、前記画像データに基づいて前記撮像手段の撮像倍率を算出する算出手段とを備えることを特徴とする。
【手続補正書】
【提出日】平成16年3月31日(2004.3.31)
【手続補正１】
【補正対象書類名】明細書
【補正対象項目名】００３７
【補正方法】変更
【補正の内容】
【００３７】
（効果）
このような第１の実施の形態によれば、超音波診断画像１４に生検ガイド１５を表示することで、生検針の穿刺方向の限界を表示できるので、穿刺の操作性を向上し、操作者が安心して生検針による生検を行える。


【手続補正２】
【補正対象書類名】明細書
【補正対象項目名】００８２
【補正方法】変更
【補正の内容】
【００８２】
比較部１４４では、生検針４の先端位置と血流位置の接近度合いの判定基準となる接近回避距離が定められており、生検針４の先端位置と血流位置が接近回避距離以内に接近している場合は、針停止信号生成部１４６に針停止信号を出力させる。これにより、針停止機構１５３は生検針４をロックして停止させる。この場合、接近回避距離は予め１ｃｍ程度に設定しておき、超音波診断装置上の図示しないスイッチにより操作者が任意に変更できるものとする。


【手続補正３】
【補正対象書類名】明細書
【補正対象項目名】００８４
【補正方法】変更
【補正の内容】
【００８４】
（効果）
第５の実施の形態によれば、血流が検出されると血流情報１６１を表示するともに、生検針４の先端位置と血流位置が接近回避距離以内に接近している場合は、生検針４を停止させるので、安心して生検を行うことができる。


【手続補正４】
【補正対象書類名】明細書
【補正対象項目名】００９２
【補正方法】変更
【補正の内容】
【００９２】
（効果）
第６の実施の形態によれば、図１３及び図１４に示した第５の実施の形態と同様に、生検針４の先端位置と血流位置が接近回避距離以内に接近している場合は、生検針４を停止させるので、安心して生検を行うことができる。
【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
酸素よりも窒素を優先的に吸着する吸着剤を充填した複数の吸着床と、該吸着床に原料空気を供給する空気供給手段と、該吸着床から生成した酸素濃縮空気を使用者に供給する酸素供給手段、該吸着床に於ける原料空気の吸着及び脱着再生のサイクルを周期的に切り替える切り替え弁手段を備えた圧力変動吸着型の酸素濃縮装置において、使用者に供給する酸素濃縮空気の流量を設定する流量設定手段を備え、該流量設定手段の設定値に基づいて該吸着床に供給する原料空気の量及び該切り替え弁の切り替え時間を同時に制御する制御手段を備えることを特徴とする医療用酸素濃縮装置。
【請求項２】
該切り替え弁手段がロータリーバルブであり、該制御手段が、該空気供給手段と該切り替え弁手段の電動機を制御する手段であり、インバータ手段の出力で両者を同時に制御する手段であることを特徴とする請求項１記載の医療用酸素濃縮装置。
【請求項３】
該インバータ手段が、該流量設定手段の各設定値に対して、予め定められた出力をする手段であることを特徴とする請求項1、２記載の医療用酸素濃縮装置。
【手続補正書】
【提出日】平成16年2月10日(2004.2.10)
【手続補正１】
【補正対象書類名】明細書
【補正対象項目名】請求項２
【補正方法】変更
【補正の内容】
【請求項２】
前記欠切部は、先端側が底辺、基端側が頂点の三角形状に切り取られた形状である、請求項１記載のガイドワイヤー。
【手続補正２】
【補正対象書類名】明細書
【補正対象項目名】請求項６
【補正方法】変更
【補正の内容】
【請求項６】
前記欠切部および切削部は、該先端部の先端から先端部の軸方向長さの１０〜７０％だけ基端側へ延びて形成されてなる、請求項２〜５のいずれかに記載のガイドワイヤー。
【手続補正書】
【提出日】平成16年5月17日(2004.5.17)
【手続補正１】
【補正対象書類名】明細書
【補正対象項目名】００２１
【補正方法】変更
【補正の内容】
【００２１】
インナーパッド１８は、その平面形状が縦方向へ長い略矩形を呈し、アウターシート２の股下域６から前後胴周り域５，７へ向かって延びている。インナーパッド１８は、肌当接側に位置する透液性の表面シート１９と、肌非当接側に位置する実質的に不透液性の裏面シート２０と、表裏面シート１９，２０の間に介在する吸液性コア２１とから形成されている。コア２１は、表面シート１９と裏面シート２０とのうちの少なくとも一方の内面に固着されている。インナーパッド１８は、コア２１の両側縁２１ｂの外側を縦方向へ略直状に延びるサイドフラップ２２を有する。
【手続補正２】
【補正対象書類名】明細書
【補正対象項目名】００２７
【補正方法】変更
【補正の内容】
【００２７】
おむつ１Ａでは、図１に示すように、インナーパッド１８が表面シート１９を内側にして縦方向へ湾曲し、弾性部材２３の収縮によって交差部位２４の間に延びるサイドフラップ２２の自由内外側部２２ａ，２２ｂが表面シート１９の上方へ起き上がる。おむつ１Ａでは、交差部位２４の間に延びるインナーパッド１８のサイドフラップ２２が着用者の脚部周りに密着しつつ、排泄物に対する障壁を形成しており、着用者の脚部とサイドフラップ２２との間に隙間が生じることはなく、そこに延びるサイドフラップ２２からの排泄物の漏れを防ぐことができる。また、おむつ１Ａでは、サイドフラップ２２の自由外側部２２ｂが交差部位２４においてアウターシート２の脚周り側部１０に固着されておらず、自由外側部２２ｂが交差部位２４において表面シート１９の上方へ起き上がるので、交差部位２４における排泄物の漏れを防ぐことができる。
【手続補正３】
【補正対象書類名】図面
【補正対象項目名】図７
【補正方法】変更
【補正の内容】
【図７】
2003126141.tif 000001
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せが含まれ、前記音声発生手段は、前記所定演出表示態様に基づく視覚的態様が導出される場合に、複数種類の音声パターンの中から選択された音声パターンに基づく聴覚的態様を導出可能となっていることを特徴とする遊技機。
【請求項２】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せが含まれ、前記特殊演出表示態様は複数種類用意され、前記音声発生手段は、前記各特殊演出表示態様に対応した特殊音声パターンを導出可能であり、前記所定演出表示態様に基づく視覚的態様が導出される場合に、複数種類の特殊音声パターンに関連する所定音声パターンに基づく聴覚的態様を導出可能となっていることを特徴とする遊技機。
【請求項３】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せが含まれ、かつ、前記特殊演出表示態様は複数種類用意され、前記音声発生手段は、前記特殊演出表示態様に基づく視覚的態様が導出される場合に各特殊演出表示態様に対応する特殊音声パターンに基づく聴覚的態様を導出可能となっており、それに先だって前記所定演出表示態様に基づく視覚的態様が導出される場合には、前記特殊音声パターンへと続く所定音声パターンを導出可能となっていることを特徴とする遊技機。
【請求項４】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、少なくとも所定演出表示態様のみからなる第１演出表示体系と、所定演出表示態様及びそれに引き続く特殊演出表示態様の組合せからなる第２演出表示体系とが含まれ、かつ、前記特殊演出表示態様は複数種類用意され、
前記音声発生手段は、前記第２演出表示体系に基づく視覚的態様が導出される場合であって、前記特殊演出表示態様に基づく視覚的態様が導出されるときには各特殊演出表示態様に対応した特殊音声パターンに基づく聴覚的態様を導出可能であり、それに先だって前記所定演出表示態様に基づく視覚的態様が導出されるときには、各特殊音声パターンに関連する所定音声パターンに基づく聴覚的態様を導出可能となっていることを特徴とする遊技機。
【請求項５】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、少なくとも所定演出表示態様のみからなる所定演出表示体系と、所定演出表示態様及びそれに引き続く第１特殊演出表示態様の組合せからなる第１特殊演出表示体系と、所定演出表示態様及びそれに引き続く第２特殊演出表示態様の組合せからなる第２特殊演出表示体系とが含まれ、
前記音声発生手段は、第１特殊演出表示体系又は第２特殊演出表示体系に基づく視覚的態様が導出される場合には、第１特殊演出表示態様又は第２特殊演出表示態様にそれぞれ対応し互いに区別可能な特殊音声パターンに基づく聴覚的態様を導出可能に構成され、かつ、前記所定演出表示態様に基づく視覚的態様が導出されるときに、前記各特殊音声パターンへと続く所定音声パターンに基づく聴覚的態様を導出可能となっていることを特徴とする遊技機。
【請求項６】
視覚的態様により遊技状態を認識させるための表示手段と、
聴覚的態様を導出可能な音声発生手段と
を備え、少なくとも前記表示手段において特定の表示態様となった場合に遊技者に有利な特別遊技状態を導出可能に構成されるとともに、前記特定の表示態様となる前段階にあっては、複数種類のリーチパターンの中から選択された１のリーチパターンに基づき前記表示手段においてリーチ遊技状態を導出可能に構成されてなる遊技機であって、
前記複数種類のリーチパターンには、所定のリーチパターン及びそれに引き続く発展型リーチパターンの組合せからなるものが含まれ、前記発展型リーチパターンは複数種類用意されているとともに、
前記音声発生手段は、前記組合せからなるリーチパターンに基づく視覚的態様が導出される場合であって、前記発展型リーチパターンに基づくリーチ遊技状態が導出されるときには各発展型リーチパターンに対応した発展型音声パターンを導出可能であり、それに先だって前記所定のリーチパターンに基づくリーチ遊技状態が導出されるときに、各発展型音声パターンに関連する所定音声パターンに基づく聴覚的態様を導出可能となっていることを特徴とする遊技機。
【手続補正書】
【提出日】平成16年8月6日(2004.8.6)
【手続補正１】
【補正対象書類名】明細書
【補正対象項目名】請求項１
【補正方法】変更
【補正の内容】
【請求項１】
遊技に関する制御を行う複数の制御手段を備えた遊技機であって、
前記複数の制御手段のうちの少なくとも１つから前記遊技機の外部へ制御信号を出力し、かつ、前記遊技機の外部から前記複数の制御手段のうちの少なくとも１つへ制御信号を入力することのできる入出力手段を備え、
前記入出力手段は、所定の中継手段を介して、複数の他の遊技機に設けられる前記入出力手段と電気的に接続可能に構成され、
前記入出力手段と、複数の他の遊技機に設けられる前記入出力手段とを電気的に接続することにより、
複数の遊技機間において制御信号を送受信できるようにしたことを特徴とする遊技機。
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
所定の停止態様で停止したとき特別遊技状態への移行を示す特別図柄の変動表示及び遊技に関連した表示を行う表示手段と、
所定の入力信号に応じて前記特別遊技状態への移行を所定の確率で決定し、該決定の結果に応じて前記特別図柄の変動表示を制御する制御手段と
を備えた弾球遊技機において、
前記確率が相対的に高い高確率状態の発生と、前記特別図柄の変動表示が開始されてから停止されるまでを１回として計数される該高確率状態の継続する回数とを抽選により決定する確率変動抽選手段を備えたことを特徴とする弾球遊技機。
【請求項２】
請求項１記載の弾球遊技機において、前記確率変動抽選手段は、前回の抽選で決定された回数を満了したとき前記抽選を実行することを特徴とする弾球遊技機。
【請求項３】
請求項１記載の弾球遊技機において、前記確率変動抽選手段は、所定回数毎に前記抽選を実行することを特徴とする弾球遊技機。
【請求項４】
請求項３記載の弾球遊技機において、前記制御手段は、前記確率変動抽選手段で抽選が行われたとき、前回の抽選で決定された回数を満了していない場合は、残されている回数分を今回の抽選で決定された回数に加算することを特徴とする弾球遊技機。
【請求項５】
請求項１乃至４のいずれか記載の遊技機において、前記表示手段は、前記確率変動抽選手段で抽選が行われたとき、該抽選の結果を示す表示を行うことを特徴とする弾球遊技機。
【請求項６】
請求項３又は４記載の遊技機において、前記表示手段は、前記確率変動抽選手段で抽選が行われたとき、前回の抽選で決定された回数を満了していない場合は、今回の抽選で高確率状態の継続が決定されなかった場合であっても高確率状態が継続することを示す表示を行うことを特徴とする弾球遊技機。
【手続補正書】
【提出日】平成16年8月5日(2004.8.5)
【手続補正１】
【補正対象書類名】明細書
【補正対象項目名】０００７
【補正方法】変更
【補正の内容】
【０００７】
前記回転体の内部空間に液晶表示を配設することで、図柄の背景部も多彩な色彩を表示し得るように構成された遊技機も提案されている(特開平１２−１１６８４３号公報参照)。しかし、前述のように、前記回転体内のスペース的な余裕は限られており、前記液晶表示装置の組付け作業が非常に煩雑になる畏れがある。また、前記回転体は円弧状に湾曲しているため、液晶表示装置をこの回転体の曲面と対応するように配設した場合には、その中心部分から上下に向かうに従って傾斜状態とされる。しかし、前記液晶表示装置は一般的に視野角が狭く、傾斜状態に配設された液晶表示装置に表示される図柄およびその背景部の視認性は、大きく低下する欠点がある。
【手続補正２】
【補正対象書類名】図面
【補正対象項目名】図１
【補正方法】変更
【補正の内容】
【図１】
2003126423.tif 000001
【手続補正３】
【補正対象書類名】図面
【補正対象項目名】図３
【補正方法】変更
【補正の内容】
【図３】
2003126423.tif 000002
【手続補正書】
【提出日】平成17年9月7日(2005.9.7)
【手続補正１】
【補正対象書類名】明細書
【補正対象項目名】全文
【補正方法】変更
【補正の内容】
【書類名】            明細書  
【発明の名称】        指装着式切断器
【特許請求の範囲】
【請求項１】  切断刃を取付けた刃支持部と、前記切断刃が挿入される受け溝を設けた受刃部とを回動自在に連結すると共に、刃支持部と受刃部を常時開放するようにバネ材で弾性的に支持し、前記受刃部の背面側に指装着部を設け、この指装着部に指を通して手で支持すると共に、刃支持部の背面側を指で押圧し、切断刃を受け溝に挿入させて切断するようにしたことを特徴とする指装着式切断器。
【請求項２】  受刃部の背面側に取付けた指装着部をリング状に形成して、これを回動自在に取付けたことを特徴とする請求項１記載の指装着式切断器。
【発明の詳細な説明】
【０００１】
【発明の属する技術分野】
本発明は指に装着して野菜の花柄など線状物を切断する指装着式切断器に関するものである。
【０００２】
【従来の技術】
一般にインゲンの栽培農家では、これを収穫する時に、片手にハサミを持ち、他方の手でインゲンを持って、インゲンの花柄を切断して１本づつ収穫している。このように両手を使用するため作業性が悪く、しかも１日に数千本も収穫するため重労働となっていた。
【０００３】
【発明が解決しようとする課題】
本発明は上記問題を改善し、小型で手の指に装着して、片手で切断しながら収穫でき作業性を大幅に向上させた指装着式切断器を提供するものである。
【０００４】
【課題を解決するための手段】
本発明の請求項１記載の指装着式切断器は、切断刃を取付けた刃支持部と、前記切断刃が挿入される受け溝を設けた受刃部とを回動自在に連結すると共に、刃支持部と受刃部を常時開放するようにバネ材で弾性的に支持し、前記受刃部の背面側に指装着部を設け、この指装着部に指を通して手で支持すると共に、刃支持部の背面側を指で押圧し、切断刃を受け溝に挿入させて切断するようにしたことを特徴とするものである。
【０００５】
本発明の請求項２記載の指装着式切断器は、受刃部の背面側に取付けた指装着部をリング状に形成して、これを回動自在に取付けたことを特徴とするものである。
【０００６】
【発明の実施の形態】
以下本発明の実施の一形態を図１ないし図４を参照して詳細に説明する。図において１は指装着式切断器で、これは図２に示すようにプラスチックで成形された長さ３〜５cm程度の刃支持部２と受刃部３とを軸４で回動自在に連結したものである。前記刃支持部２には板状の切断刃５が取付けられている。また刃支持部２の背面は図３および図４に示すように親指形状の押圧部６が形成され、この表面に多数の滑り止め凹部７が形成されている。
【０００７】
また前記受刃部３は図３に示すように、その中心に長手方向に沿って切断刃５が挿入される受け溝８が貫通して開口されている。また受刃部３の背面側は横方向に突出し、ここに図４に示すようにプラスチックで成形された指輪リング状の指装着部９が軸１０で回動自在に支持されている。
【０００８】
また図２に示すように前記刃支持部２と受刃部３は、これを連結する軸４に針金状のバネ１１が取付けられ、その端部が刃支持部２と受刃部３の内側に当接して、刃支持部２と受刃部３を常時開放するように弾性的に支持している。
【０００９】
上記構成の指装着式切断器１は図１に示すように、指装着部９に人指し指１２を差し込んで指装着式切断器１を支持する。この後、指装着部９と軸１０で回動自在に連結されている受刃部３と刃支持部２とを、押圧部６が親指１３に当るように回転させて角度を調整する。
【００１０】
このように指装着式切断器１を人指し指１２に取付けてから、インゲン１４の花柄１５を、開放した切断刃５と受け溝８との間に位置させて、親指１３で押圧部６を押すと、切断刃５が回動して受刃部３の受け溝８に挿入されて花柄１５が切断されると同時に、手にインゲン１４を持つことができる。
【００１１】
花柄１５を切断して親指１３を開くと、バネ１１の弾性により自動的に復帰して切断刃５と受け溝８との間が開放した状態となり、以後同様の操作を繰り返すことによりインゲン１４を収穫していく。
【００１２】
つまり、人指し指１２と親指１３で花柄１５を摘むような感じで、小さな切断刃５を回動させるだけで、片手でインゲン１４を収穫することができ、従来のように重いハサミを片手に持ち、他方の手で収穫していく方法に比べて、作業性に優れ、長時間作業しても疲労が少ない。本発明の指装着式切断器１を用いて収穫したところ１時間で約１０００本のインゲン１４を収穫でき、従来の３倍以上も作業性が向上した。
【００１３】
また刃支持部２が閉じてくると、受刃部３の中央に開口した受け溝８内に切断刃５が挿入されるので、刃先が露出せず安全である。また花柄１５を切断しているうちに、切断した花柄１５の繊維やカス、渋が受刃部３に付着するが、受け溝８が背面側まで貫通して開口しているので、切断刃５により受け溝８の背面側から押出され、円滑に切断を続けることができる。また押圧部６の表面には多数の滑り止め凹部７が設けられているので、汗をかいても滑りにくく確実に花柄１５を切断することができる。
【００１４】
なお上記説明では指装着部９をプラスチックで成形した場合について示したが、塑性変形可能な金属板で形成することにより、個人差のある人指し指１２の太さに合わせて内径を調整して確実に保持できるようにしても良い。また指装着部９の内側にゴムを巻き付けて指を保護するようにした構造でも良い。なお指装着部９には、人指し指１２に限らず中指を差し込んで保持しても良い。また滑り止め凹部７の代わりに突起を形成した構造でも良い。
【００１５】
また上記説明では、インゲン１４を収穫する場合について説明したが、キュウリやエンドウなどの収穫にも使用することができる。また収穫だけではなく摘花や摘果の作業など広く農作業に使用することができる。更に電気部品の配線の切断や、縫製の糸の切断など工業の分野でも広く使用することができる。
【００１６】
【発明の効果】
以上説明した如く本発明に係る請求項１記載の指装着式切断器によれば、小型で手の指に装着して、指と指との間で摘むようにして片手で切断して収穫することができ、バネの弾性により自動的に復帰して切断刃と受け溝との間が開放するので、作業性が大幅に向上し、長時間連続作業を行なっても疲労が少ない。
【００１７】
また請求項２記載の指装着式切断器によれば、受刃部の背面側に取付けたリング状の指装着部が、回動自在に取付けられているので、使用する人に合わせて刃支持部の背面の押圧部が親指に当るように角度を調整することができる。
【図面の簡単な説明】
【図１】
本発明の実施の一形態による指装着式切断器を使用している状態を示す斜視図である。
【図２】
図１の指装着式切断器を示す側面図である。
【図３】
図２の指装着式切断器を示す底面図である。
【図４】
図２の指装着式切断器を示す背面図である。
【符号の説明】
１    指装着式切断器
２    刃支持部
３    受刃部
４    軸
５    切断刃
６    押圧部
７    滑り止め凹部
８    受け溝
９    指装着部
１０  軸
１１  バネ
１２  人指し指
１３  親指
１４  インゲン
１５  花柄
【手続補正書】
【提出日】平成16年11月22日(2004.11.22)
【手続補正１】
【補正対象書類名】明細書
【補正対象項目名】特許請求の範囲
【補正方法】変更
【補正の内容】
【特許請求の範囲】
【請求項１】
画面下方に落下するブロックの組に対して、プレイヤーからブロックの並び順を変更する指示、画面横方向に移動させる指示を受け付けて、該ブロックの組を配置するゲーム装置であって、
プレイヤーの指示対象となるブロックの組について、その配置可能なパターンに対してランクづけを行う手段と、
前記ランクづけに基づき、プレイヤーの指示を評価する手段と、を備えることを特徴とするゲーム装置。
【請求項２】
画面下方に落下するブロックの組に対して、プレイヤーからブロックの並び順を変更する指示、画面横方向に移動させる指示を受け付けて、該ブロックの組を配置するゲーム方法であって、
プレイヤーの指示対象となるブロックの組について、配置可能なパターンのランクづけを行うステップと、
前記ランクづけに基づき、プレイヤーの指示を評価するステップと、を備えることを特徴とするゲーム方法。
【手続補正書】
【提出日】平成16年8月24日(2004.8.24)
【手続補正１】
【補正対象書類名】明細書
【補正対象項目名】特許請求の範囲
【補正方法】変更
【補正の内容】
【特許請求の範囲】
【請求項１】
底部に排出口を有する粉箱に金属粉と潤滑剤を混合して得た混合粉を充填し、前記粉箱を金型盤上を摺動させながら目的とするキャビティー上に移動させた後、粉箱内の前記混合粉を重力によりキャビティー内に落とし込んで充填する方法において、前記粉箱内の前記混合粉を少なくともキャビティー内に落とし込む際に、該粉箱内の前記混合粉に機械的な回転攪拌を施すことを特徴とする混合粉の充填方法。
【請求項２】
底部に排出口を有する粉箱に金属粉と潤滑剤を混合して得た混合粉を充填し、前記粉箱を金型盤上を摺動させながら目的とするキャビティー上に移動させた後、粉箱内の前記混合粉を重力によりキャビティー内に落とし込んで充填する方法において、前記粉箱内の前記混合粉を少なくともキャビティー内に落とし込む際に、該粉箱内の前記混合粉に略鉛直方向を軸とした機械的な回転攪拌を施すことを特徴とする混合粉の充填方法。
【請求項３】
底部に排出口を有する粉箱に金属粉と潤滑剤を混合して得た混合粉を充填し、前記粉箱を金型盤上を摺動させながら目的とするキャビティー上に移動させた後、粉箱内の前記混合粉を重力によりキャビティー内に落とし込んで充填する装置において、金型盤上を移動可能に設けられた粉箱と、該粉箱に設けられたモータと、該粉箱内に設けられ前記モータの駆動により略鉛直方向を軸として回転する回転攪拌機とから構成されたことを特徴とする混合粉の充填装置。
【請求項４】
前記回転攪拌機が複数本の攪拌棒を有することを特徴とする請求項３に記載の混合粉の充填装置。
【請求項５】
前記回転攪拌における回転速度が２０〜１５０ｒｐｍである請求項１又は２に記載の混合粉の充填方法。
【手続補正２】
【補正対象書類名】明細書
【補正対象項目名】０００９
【補正方法】変更
【補正の内容】
【０００９】
すなわち、本発明の請求項１においては、底部に排出口を有する粉箱に金属粉と潤滑剤を混合して得た混合粉を充填し、前記粉箱を金型盤上を摺動させながら目的とするキャビティー上に移動させた後、粉箱内の前記混合粉を重力によりキャビティー内に落とし込んで充填する方法において、前記粉箱内の前記混合粉を少なくともキャビティー内に落とし込む際に、該粉箱内の前記混合粉に機械的な回転攪拌を施すことを特徴とする混合粉の充填方法を提案するものである。
【手続補正３】
【補正対象書類名】明細書
【補正対象項目名】００１０
【補正方法】変更
【補正の内容】
【００１０】
また、本発明の請求項２においては、底部に排出口を有する粉箱に金属粉と潤滑剤を混合して得た混合粉を充填し、前記粉箱を金型盤上を摺動させながら目的とするキャビティー上に移動させた後、粉箱内の前記混合粉を重力によりキャビティー内に落とし込んで充填する方法において、前記粉箱内の前記混合粉を少なくともキャビティー内に落とし込む際に、該粉箱内の前記混合粉に略鉛直方向を軸とした機械的な回転攪拌を施すことを特徴とする混合粉の充填方法を提案するものである。
【手続補正４】
【補正対象書類名】明細書
【補正対象項目名】００１１
【補正方法】変更
【補正の内容】
【００１１】
そして、本発明の請求項３においては、底部に排出口を有する粉箱に金属粉と潤滑剤を混合して得た混合粉を充填し、前記粉箱を金型盤上を摺動させながら目的とするキャビティー上に移動させた後、粉箱内の前記混合粉を重力によりキャビティー内に落とし込んで充填する装置において、金型盤上を移動可能に設けられた粉箱と、該粉箱に設けられたモータと、該粉箱内に設けられ前記モータの駆動により略鉛直方向を軸として回転する回転攪拌機とから構成されたことを特徴とする混合粉の充填装置金型盤上を移動可能に設けられた粉箱と、該粉箱に設けられたモータと、該粉箱内に設けられ前記モータの駆動により略鉛直方向を軸として回転する回転攪拌機とから構成されたことを特徴とする混合粉の充填装置を提案するものである。さらに、本発明の請求項４においては、前記回転攪拌機が複数本の攪拌棒を有することを特徴とする請求項３に記載の混合粉の充填装置を提案するものである。加えて、本発明の請求項５においては前記回転攪拌における回転速度が２０〜１５０ｒｐｍである請求項１又は２に記載の混合粉の充填方法を提案するものである。
【手続補正５】
【補正対象書類名】明細書
【補正対象項目名】００３０
【補正方法】変更
【補正の内容】
【００３０】
下記に示す４種類（Ａ〜Ｄ）の混合粉（残部鉄粉）を対象粉末として使用し、金型盤に設けた内径２６ｍｍ、外径３０ｍｍ、幅２ｍｍ、高さ１２ｍｍのリング状のキャビティ内に前記実施例１と同様な要領によって粉末の粉箱への装入、キャビティへの移動、落とし込み、充填及び成形を行なった。この場合、攪拌のための回転速度は全て４０ｒｐｍとし、比較のために未攪拌の場合についても実施した。そして、キャビティがフル充填となる１分間当りの最大ショット数を調査した結果を図８に示す。なお、同図８には得られたリング状の成形体の外観も合せて図示した。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
少なくとも片面に樹脂フィルムが積層された樹脂ラミネートアルミニウム箔からなる素板を、ダイ及びしわ押え板により挟み込んだ状態でポンチを用いて成形を行うようにした絞り加工方法であって、
前記ダイとして、素板設置面の表面粗さ（Ｒａ）が０．０８〜１．０μｍに設定されたものを用いることを特徴とした樹脂ラミネートアルミニウム箔の絞り加工方法。
【請求項２】
少なくとも片面に樹脂フィルムが積層された樹脂ラミネートアルミニウム箔からなる素板を、ダイ及びしわ押え板により挟み込んだ状態でポンチを用いて成形を行うようにした絞り加工方法であって、
前記しわ押え板として、素板圧接面の表面粗さ（Ｒａ）が０．０８〜１．０μｍに設定されたものを用いることを特徴とした樹脂ラミネートアルミニウム箔の絞り加工方法。
【請求項３】
少なくとも片面に樹脂フィルムが積層された樹脂ラミネートアルミニウム箔からなる素板を、ダイ及びしわ押え板により挟み込んだ状態でポンチを用いて成形を行うようにした絞り加工方法であって、
前記ダイとして、素板設置面の表面粗さ（Ｒａ）が０．０８〜１．０μｍに設定されたものを用いるとともに、
前記しわ押え板として、素板圧接面の表面粗さ（Ｒａ）が０．０８〜１．０μｍに設定されたものを用いることを特徴とした樹脂ラミネートアルミニウム箔の絞り加工方法。
【請求項４】
請求項１ないし３のいずれかに記載の絞り加工方法によって得られることを特徴とする樹脂ラミネートアルミニウム箔の絞り加工製品。
【請求項５】
請求項１ないし３のいずれかに記載の絞り加工方法によって得られることを特徴とする食品包装用容器。
【請求項６】
請求項１ないし３のいずれかに記載の絞り加工方法によって得られることを特徴とする電子部品収納用容器。
【請求項７】
少なくとも片面に樹脂フィルムが積層された樹脂ラミネートアルミニウム箔からなる素板を絞り加工するための絞り加工装置であって、
前記素板を成形するためのダイ及びポンチと、
成形の際に前記素板を前記ダイ側へ押え込むためのしわ押え板とを備え、
前記ダイにおける素板設置面の表面粗さ（Ｒａ）が０．０８〜１．０μｍに設定されてなることを特徴とした樹脂ラミネートアルミニウム箔の絞り加工装置。
【請求項８】
少なくとも片面に樹脂フィルムが積層された樹脂ラミネートアルミニウム箔からなる素板を絞り加工するための絞り加工装置であって、
前記素板を成形するためのダイ及びポンチと、
成形の際に前記素板を前記ダイ側へ押え込むためのしわ押え板とを備え、
前記しわ押え板における素板圧接面の表面粗さ（Ｒａ）が０．０８〜１．０μｍに設定されてなることを特徴とした樹脂ラミネートアルミニウム箔の絞り加工装置。
【請求項９】
少なくとも片面に樹脂フィルムが積層された樹脂ラミネートアルミニウム箔からなる素板を絞り加工するための絞り加工装置であって、
前記素板を成形するためのダイ及びポンチと、
成形の際に前記素板を前記ダイ側へ押え込むためのしわ押え板とを備え、
前記ダイにおける素板設置面の表面粗さ（Ｒａ）が０．０８〜１．０μｍに設定されてなるとともに、
前記しわ押え板における素板圧接面の表面粗さ（Ｒａ）が０．０８〜１．０μｍに設定されてなることを特徴とした樹脂ラミネートアルミニウム箔の絞り加工装置。
【請求項１０】
請求項１ないし３のいずれかに記載の絞り加工方法を用いて絞り加工製品を製造するようにした樹脂ラミネートアルミニウム箔の絞り加工製品の製造方法であって、
前記素板を前記ダイ及びポンチを用いて成形するに際し、金型としての前記ダイ及びポンチに潤滑剤を供給せずに冷間成形するものとしたことを特徴とする樹脂ラミネートアルミニウム箔の絞り加工製品の製造方法。
【手続補正書】
【提出日】平成16年10月18日(2004.10.18)
【手続補正１】
【補正対象書類名】明細書
【補正対象項目名】０００２
【補正方法】変更
【補正の内容】
【０００２】
【従来の技術】
冷却水系、ボイラ水系などの水と接触する伝熱面や配管内では、スケール障害が発生する。特に、省資源、省エネルギーの立場から、冷却水の系外への排棄（ブロー）を少なくして高濃縮運転を行う場合、溶解している塩類が濃縮されて、伝熱面が腐食しやすくなるとともに、難溶性の塩となってスケール化する。生成したスケールは、熱効率の低下、配管の閉塞など、ボイラーや熱交換器の運転に重大な障害を引き起こす。
生成するスケール種としては、炭酸カルシウム、硫酸カルシウム、亜硫酸カルシウム、リン酸カルシウム、ケイ酸カルシウム、ケイ酸マグネシウム、水酸化マグネシウム、リン酸亜鉛、水酸化亜鉛、塩基性炭酸亜鉛などがある。従来より、カルシウム系やマグネシウム系のスケールに対しては、マレイン酸、アクリル酸、イタコン酸などを重合したカルボキシル基を有する重合体が有効であり、必要に応じて、ビニルスルホン酸、アリルスルホン酸、２−アクリルアミド−２−メチルプロパンスルホン酸などのスルホン酸基を有するビニルモノマーや、アクリルアミドなどのノニオン性ビニルモノマーを対象水質に応じて組み合わせた共重合体が、スケール防止剤として一般的に使用されている。
また、特にカルシウム系スケールを対象としては、ヘキサメタリン酸ナトリウム、トリポリリン酸ナトリウムなどの無機ポリリン酸類や、ヒドロキシエチリデンジホスホン酸、ホスホノブタントリカルボン酸などのホスホン酸類も一般的に使用されている。
近年、節水や省エネルギーを目的として、可能な限り水を有効利用するという動きが顕著になってきており、熱交換器についても、冷却水の高濃縮運転への期待が高まってきている。これに対し、上述した現状のスケール防止剤は、冷却水中に溶解するスケール種（イオン）をスケールとして析出しないように水中に押さえ込む、すなわち溶解させたままにしておく機能を有するものであり、さらなる高濃縮運転の場合には、スケールの析出を抑制するには限界がある。今後さらに冷却水の高濃縮運転が広まる中で、現状のスケール防止方法に代わる高性能なスケール防止技術の開発が望まれている。
本発明者らは、冷却水系の循環水を、シリカゲル粒子と炭酸カルシウム粒子とが充填されたカラムに通水することにより、冷却水系におけるスケールの発生を防止し得ることを先に見いだした。この方法によれば、既設の開放循環冷却水系に簡単な装置を付設するだけで、効率的にスケール付着を防止することができるが、さらにスケール防止効果を高めることが望まれている。
【手続補正書】
【提出日】平成17年5月11日(2005.5.11)
【手続補正１】
【補正対象書類名】明細書
【補正対象項目名】０００３
【補正方法】変更
【補正の内容】
【０００３】
この方法を使用すると、反応管のむらのある不均一な充填が早期ソックス開放による微粒子破壊によって空隙を生じるかまたは微粒子によってブリッジを形成することになる。空隙形成は不所望である。というのは、反応管内のむらのある温度分布と圧力降下の変動を生じるからである。空隙は反応管の側部を叩くかあるいはハンマーで打ち、反応管の壁を振動させることによって部分的に除去可能である。しかしながら、このようなやり方はひどく労力と時間がかかる。
【手続補正２】
【補正対象書類名】明細書
【補正対象項目名】０００７
【補正方法】変更
【補正の内容】
【０００７】
本発明の目的は、高い触媒密度を生じ、それによって触媒微粒子の空隙とブリッジ形成を最小限に抑える、管状流れ改質装置のような反応管に微粒子触媒材料を充填するための方法と装置を提供することである。
【手続補正３】
【補正対象書類名】明細書
【補正対象項目名】００１１
【補正方法】変更
【補正の内容】
【００１１】
【課題を解決するための手段】
上記の目的は、微粒子触媒材料を反応管に充填するための方法を提供する本発明によって達成される。この方法では、反応管の内径よりも小さな外径を有する幾つかの管区間を連結して、反応管の長さに一致する最終管長さにすることによって充填管を用意し、反応管内に充填すべき或る量の触媒微粒子を充填管の上部から供給し、充填管内に緩衝手段を設けることによって触媒微粒子を緩衝して、充填管を通過させ、  反応管に充填された触媒微粒子の充填高さに対応する長さに充填管を反応管から連続的に引抜き、緩衝手段が各々の管区間の内壁にらせん体を取付けることによって形成され、らせん体が棒によって形成され、この棒が任意の横断面を有し、かつ横断面のあらゆる方向において最大直径が管区間の直径の１／２５〜１／２であり、らせん体が各々の区間において、管区間の直径の２〜８倍のピッチを有する。
本発明による方法では、高すぎる高さから落とされる触媒微粒子が破砕する恐れが除かれる。熟練した充填作業員が、例えばソックス法を用いた従来の充填による場合よりも充填作業を著しく速く行うこともできる。
反応管をハンマーで打たない本発明の方法により、高い均一な充填密度が得られる。
反応管を横切る均一な圧力低下、したがって均一な流れも得られる。その結果、ホットスポット形成の傾向も低減されかつ管寿命が一層長くなる。
【手続補正４】
【補正対象書類名】明細書
【補正対象項目名】００１６
【補正方法】変更
【補正の内容】
【００１６】
触媒粒子が充填管を経て充填される場合、触媒がらせん体上をらせん運動して下降するときに、触媒粒子の速度が低下する。らせん運動は粒子をらせんに沿って強制的に案内し、粒子は一つずつ到達し、塊にならない。充填管の底で、触媒粒子は同じ速度を有し、予め定めた短い距離を落下する。その結果、均一な密度の充填となり、ブリッジ、空隙または破壊された触媒微粒子を生じない。